(57)【要約】【課題】バックライトアセンブリを提供する。【解決手段】バックライトアセンブリは複数の光源ユニット１１０及び隔壁部材１２０を含む。光源ユニットはそれぞれ互いに異なる波長の光を発生させる複数の光源を含む。隔壁部材は光源ユニットの間に配置され、光源ユニットから発生した光の一部を透過させ、一部を反射させる。それにより、光の色再現性は増加させ、光の均一性を向上させる。【選択図】図１
2007207759.tif 000002
【特許請求の範囲】
【請求項１】
互いに異なる波長の光を発生させる複数の光源、及び前記光源が実装される回路基板をそれぞれ含む複数の光源ユニットと、
前記光源ユニットの間に配置され、前記光源ユニットから発生した前記光の一部を透過させ、一部を反射させる隔壁部材と、
を含むことを特徴とするバックライトアセンブリ
【請求項２】
前記隔壁部材は、
第１隔壁部と、
前記第１隔壁部上に配置された第２隔壁部と、
を含むことを特徴とする請求項１記載のバックライトアセンブリ。
【請求項３】
前記第１隔壁部は第１の物質を含み、前記第２隔壁部は前記第１の物質と相異なる第２の物質を含むことを特徴とする請求項２記載のバックライトアセンブリ。
【請求項４】
前記第１の物質は第１光反射率を有し、前記第２の物質は前記第１光反射率よりも小さい第２光反射率を有することを特徴とする請求項３記載のバックライトアセンブリ。
【請求項５】
前記隔壁部材は、前記第２隔壁部上に配置され前記第２光反射率よりも小さい第３光反射率を有する第３の物質を含む第３隔壁部をさらに含むことを特徴とする請求項４記載のバックライトアセンブリ。
【請求項６】
前記第２隔壁部の屈折率は、１．０〜２．０であることを特徴とする請求項３記載のバックライトアセンブリ。
【請求項７】
前記第２隔壁部は、ポリメチルメタクリレート（ＰＭＭＡ）及びポリカボネート（ＰＣ）のうち少なくとも一つを含むことを特徴とする請求項３記載のバックライトアセンブリ。
【請求項８】
前記第１隔壁部は、前記光源ユニットから発生した前記光を反射させ、前記第２隔壁部は前記光源ユニットから発生した前記光の一部を透過させ一部を反射させることを特徴とする請求項２記載のバックライトアセンブリ。
【請求項９】
前記第２隔壁部は、
前記光源ユニットから発生した前記光を反射させるための光反射部と、
前記光源ユニットから発生した前記光を透過させるための光透過部と、
を含むことを特徴とする請求項２記載のバックライトアセンブリ。
【請求項１０】
前記第２隔壁部は、櫛の歯形状にパターン化されていることを特徴とする請求項９記載のバックライトアセンブリ。
【請求項１１】
前記櫛の歯形状の頂点及び低点の少なくとも一つは丸みを帯びていることを特徴とする請求項１０記載のバックライトアセンブリ。
【請求項１２】
前記第２隔壁部には、複数のホールが形成されていることを特徴とする請求項９記載のバックライトアセンブリ。
【請求項１３】
前記第１隔壁部の第１高さは、前記第２隔壁部の第２高さよりも大きいか同じであることを特徴とする請求項２記載のバックライトアセンブリ。
【請求項１４】
前記第１隔壁部の前記第１高さは２０ｍｍ〜３０ｍｍであり、前記第２隔壁部の前記第２高さは５ｍｍ〜２５ｍｍであることを特徴とする請求項１３記載のバックライトアセンブリ。
【請求項１５】
前記隔壁部材は、三角形または切られた三角形の断面プロファイルを有する柱形状を有することを特徴とする請求項１記載のバックライトアセンブリ。
【請求項１６】
前記隔壁部材の前記三角形または切られた三角形の断面プロファイルの頂角は１°〜１５°の範囲を有することを特徴とする請求項１５記載のバックライトアセンブリ。
【請求項１７】
前記光源ユニットから発生した前記光を反射するための反射シートをさらに含み、前記光源ユニット及び前記隔壁部材は前記反射シート上に配置されることを特徴とする請求項１記載のバックライトアセンブリ。
【請求項１８】
前記隔壁部材は少なくとも２つの物質を含むことを特徴とする請求項１記載のバックライトアセンブリ。
【請求項１９】
前記隔壁部材は、前記隔壁部材の下部から上部に行くほど光反射率が小さくなることを特徴とする請求項１８記載のバックライトアセンブリ。
【請求項２０】
光を用いて画像を表示する表示ユニットと、
前記表示ユニットに前記光を提供するバックライトアセンブリと、
を含み、
前記バックライトアセンブリは、
互いに異なる波長の光を発生させる複数の光源及び前記光源が実装される回路基板をそれぞれ含む複数の光源ユニットと、
前記光源ユニットの間に配置され、前記光源ユニットから発生した前記光の一部を透過させ、一部を反射させる隔壁部材と、
を含むことを特徴とする表示装置。
【発明の詳細な説明】
【技術分野】
【０００１】
本発明はバックライトアセンブリ及びそれを有する表示装置に係わり、より詳細には表示品質を向上させることができるバックライトアセンブリ及び表示装置に関する。
【背景技術】
【０００２】
最近、表示装置のバックライトアセンブリを駆動する方式において、時間的な表示駆動方式が研究されつつある。空間的な表示駆動方式では、赤色、緑色及び青色の画素を通じて所望する色を具現する。反面、時間的なカラー駆動方式では、一つのフレームに対して赤色光、緑色光及び青色光を順次にそれぞれ所定の時間の間発光させて所望するカラーを具現する。
【０００３】
前記した時間的なカラー駆動方式では、複数の単一色が順次に発現され一つのカラーを生成するので、前記した空間的なカラー駆動方式とは異なってカラーミキシング（ｃｏｌｏｒ  ｍｉｘｉｎｇ）が起こって色再現性が低下してしまう。
【発明の開示】
【発明が解決しようとする課題】
【０００４】
本発明のこのような従来の問題点を解決するためのもので、本発明の第１の目的は表示品質を向上させることができるバックライトアセンブリを提供することにある。
【０００５】
本発明の第２の目的は前記したバックライトアセンブリを有する表示装置を提供することにある。
【課題を解決するための手段】
【０００６】
上述した本発明の第１の目的を達成するためのバックライトアセンブリは、複数の光源ユニット及び隔壁部材を含む。前記光源ユニットはそれぞれ互いに異なる波長の光を発生させる複数の光源及び前記光源が実装される回路基板を含む。前記隔壁部材は是光源ユニットの間に配置され、前記光源ユニットから発生した前記光の一部を透過させ、一部を反射させる。
【０００７】
前記隔壁部材は、例えば、第１隔壁部及び前記第１隔壁部上に配置された第２隔壁部を含む。このとき、前記第１隔壁部は前記光源ユニットから発生した前記光を反射させ、前記第２隔壁部は前記光源ユニットから発生した前記光の一部を透過させ一部を反射させることができる。
【０００８】
前記第１隔壁部は第１の物質を含み、前記第２隔壁部は前記第１の物質と相異した第２の物質を含むことができる。このとき、前記第１の物質は第１光反射率を有し、前記第２の物質は前記第１光反射率よりも小さい第２光反射率を有する。
【０００９】
前記第２隔壁部の屈折率は、例えば、１．０〜２．０である。前記第２隔壁部は、例えば、ポリメチルメタクリレートＰＭＭＡ及びポリカボネートＰＣのうち少なくとも一つを含む。
【００１０】
前記隔壁部材は前記第２隔壁部上に配置され、前記第２光反射率よりも小さい第３光反射率を有する第３の物質を含む第３隔壁部をさらに含むことができる。
【００１１】
前記第２隔壁部は前記光源ユニットから発生した前記光を反射させるための光反射部及び前記光源ユニットから発生した前記光を透過させるための光透過部を含むことができる。例えば、前記第２隔壁部は櫛の歯形状にパターン化され、前記櫛の歯形状の頂点及び低点の少なくとも一つは丸みを帯びることができる。例えば、前記第２隔壁部には複数のホールが形成される。
【００１２】
前記第１隔壁部の第１高さは前記第２隔壁部の第２高さよりも大きいか同じであることができる。例えば、前記第１隔壁部の前記第１高さは２０ｍｍ〜３０ｍｍであり、前記第２隔壁部の前記第２高さは５ｍｍ〜２５ｍｍである。
【００１３】
前記隔壁部材は三角形または切断された三角形の断面プロファイルを有する柱形状を有することができる。例えば、前記隔壁部材の前記三角形または切断された三角形の断面プロファイルの頂角は１°〜１５°の範囲を有する。
【００１４】
前記バックライトアセンブリは前記光源ユニットから発生した前記光を反射するための反射シートをさらに含むことができ、この場合、前記光源ユニット及び前記隔壁部材は前記反射シート上に配置される。
【００１５】
前記隔壁部材は少なくとも２つの物質を含むことができる。このとき、前記隔壁部材は前記隔壁部材の下部から上部に行くほど光反射率が小さくなる。
【００１６】
上述した本発明の第２の目的を達成するための表示装置は、表示ユニット及びバックライトアセンブリを含む。前記表示ユニットは光を用いて画像を表示する。前記バックライトアセンブリは前記表示ユニットに前記光を提供し、複数の光源ユニット及び隔壁部材を含む。前記光源ユニットはそれぞれ互いに異なる波長の光を発生させる複数の光源及び前記光源が実装される回路基板を含む。前記隔壁部材は前記光源ユニットの間に配置され、前記光源ユニットから発生した前記光の一部を透過させ、一部を反射させる。
【発明の効果】
【００１７】
本発明によると、光源ユニットの間に配置された隔壁部材は光源ユニットから発生した光を一部透過及び一部反射させるために、光の色再現性を増加させ、光の均一性を向上させることができる。
【発明を実施するための最良の形態】
【００１８】
以下、添付図面を参照して、本発明の好ましい実施形態をより詳細に説明する。
【００１９】
図１は本発明の一実施形態によるバックライトアセンブリを示した分解斜視図である。図２は図１のＩ−Ｉ´線に沿って切断した部分断面図である。
【００２０】
図１を参照すると、バックライトアセンブリ１００は複数の光源ユニット１１０、隔壁部材１２０、収納容器１３０及び光学部材１４０を含む。
【００２１】
光源ユニット１１０は、それぞれ複数の光源１１２及び回路基板１１４を含む。光源１１２は互いに異なる波長の光を発生させる。光源１１２は前記回路基板１１４上に実装される。
【００２２】
回路基板１１４は、例えば、印刷回路基板または印刷回路基板に熱伝導率の優れた金属がコーティングされた金属コーティング基板からなる。回路基板１１４には外部から供給された電源を前記光源１１２に印加するための電源印加線（図示せず）が形成されている。
【００２３】
光源１１２は赤色光源、緑色光源及び青色光源を含む。例えば、一つの赤色光源、２つの緑色光源及び一つの青色光源は一つの光源グループを定義し、複数の光源グループが回路基板１１４上に互いに離隔されて配置される。しかし、光源グループを定義する赤色光源、緑色光源及び青色光源の個数は上記の例に限定されない。
【００２４】
赤色光源は、赤色光を発生する赤色発光ダイオードＬＥＤを含み、緑色光源はそれぞれ緑色光を発生する緑色発光ダイオードを含み、青色光源は青色光を発生する青色発光ダイオードを含む。
【００２５】
赤色光源、緑色光源及び青色光源はそれぞれ赤色、緑色及び青色発光ダイオードをカバーするレンズを含む。レンズは赤色、緑色及び青色発光ダイオードから発生された光を拡散させ、光源１１２の有効発光面積を増加させる。図１及び図２に示されたように、レンズは、例えば、ドーム形状を有するトップエミティング（ｔｏｐ  ｅｍｉｔｔｉｎｇ）方式を採用する。それとは異なり、レンズはサイドエミティング（ｓｉｄｅ  ｅｍｉｔｔｉｎｇ）方式を採用することができる。
【００２６】
図１及び図２に示されているように、一例として、前記光源ユニット１１０の前記光源グループは隣接した光源ユニット１１０の光源グループとジグザグ形態に配置することができる。
【００２７】
また、各光源グループを定義する赤色光源、緑色光源及び青色光源は隣接した光源グループの赤色光源、緑色光源及び青色光源と同一の配置を有することもでき、相異した配置を有することもできる。
【００２８】
隔壁部材１２０は光源ユニット１１０の間に配置される。光源ユニット１１０がそれぞれ異なる色の光を順次に発生させるとき、隔壁部材１２０は互いに異なる色の光が混合されないように光源ユニット１１０を分割する。
【００２９】
前隔壁部材１２０は光源ユニット１１０から発生した光の一部を透過させ、一部を反射させる。そのために、隔壁部材１２０、例えば、少なくとも２つの物質を含むことができる。
【００３０】
図１及び図２で、隔壁部材１２０は第１隔壁部１２２及び第１隔壁部１２２上に配置された第２隔壁部１２４を含む。
【００３１】
第１隔壁部１２２は光源ユニット１１０から発生した前記光を反射させる。第２隔壁部１２４は光源ユニット１１０から発生した光の一部を透過させ、一部を反射させる。
【００３２】
第１隔壁部１２２は第１の物質を含み、前記第２隔壁部１２４は前記第１の物質と相異した第２の物質を含む。例えば、前記第１隔壁部１２２及び前記第２隔壁部１２４はそれぞれ前記第１物質及び前記第２物質からなることができる。これとは異なり、前記第１隔壁部１２２及び前記第２隔壁部２１４はそれぞれ前記第１物質を含む第１層及び前記第２物質を含む第２層でコーティングされることもできる。
【００３３】
前記第１隔壁部１２２の前記第１の物質は第１光反射率を有し、前記第２隔壁部１２４の前記第２の物質は前記第１光反射率よりも小さい第２光反射率を有する。第１隔壁部１２２の第１の物質は光反射率の高い物質、例えば、金属を含む。第２隔壁部１２４の第２の物質は光の一部透過及び一部反射可能な物質、例えば、ポリメチルメタクリレートＰＭＭＡまたはポリカボネートＰＣを含む。
【００３４】
一方、前記第２隔壁部１２４の屈折率は、例えば、おおよそ１．０〜２．０とすることができる。
【００３５】
収納容器１３０は底版１３２及び底板１３４の端部位から延長され収納空間を形成する側部１３４を含み、光源ユニット１２０及び光学部材１４０を順次に収納する。収納容器１３０は、例えば、強度の優れた変形の少ない金属からなる。
【００３６】
光学部材１４０は光源ユニット１１０の上部に配置され、光源ユニット１１０から発生した光を拡散させるための拡散プレート１４２を含む。光学部材１４０は拡散された光の光特性を向上させるための光学シート１４４を含む。光学シート１４４は、例えば、拡散された光を再度拡散させるための拡散シート及び／または拡散された光を正面方向に集光させて光の正面輝度を向上させるための集光シートを含むことができる。
【００３７】
バックライトアセンブリ１００は光源ユニット１１０の発光のための駆動電圧を発生する電源供給装置１５０をさらに含むことができる。電源供給装置１５０から発生された駆動電圧は電源線１５２を通じて光源ユニット１１０に印加される。
【００３８】
図３は比較例による隔壁部材を有するバックライトアセンブリ内での光の経路を示した部分斜視図である。
【００３９】
図３を参照すると、比較例によるバックライトアセンブリ１０は光源ユニット１１０の間に配置された隔壁部材２０を含む。
【００４０】
隔壁部材２０は光反射率の高い物質からなる。従って、隔壁部材２０は光源ユニット１１０から発生した光を反射させる。
【００４１】
具体的に、図３に示されたように、光源ユニット１１０から発生した光は隔壁部材２０に向かって進行し、隔壁部材２０の表面上で反射される。
【００４２】
隔壁部材２０は隔壁部材１４０から所定間隔離隔されており、光源ユニット１１０の回路基板１１４の上面から所定高さＨを有する。
【００４３】
従って、光源ユニット１１０から発生した光の一部は隔壁部材２０の頂点の上に通過して隣接した光源ユニット１１０が配置された位置に進行する。反面、光源ユニット１１０から発生した光の一部は隔壁部材２０の表面上で反射されて隣接した光源ユニット１１０が配置された位置には進行できない。
【００４４】
高さＨが低い場合、光源ユニット１１０から発生した光のうち多くの量が隔壁部材２０の頂点の上に通過して隣接した光源ユニット１１０が配置された位置に進行する。一方、高さＨが高い場合、光源ユニット１１０から発生した光のうち多くの量が隔壁部材２０の表面上で反射され隣接した光源ユニット１１０が配置された位置には進行することができない。
【００４５】
光源ユニット１１０から発生した光のうちの多くの量が隔壁部材２０の頂点の上に通過して隣接した光源ユニット１１０が配置された位置に進行する場合、互いに隣接した光源ユニット１１０からそれぞれ発生した光が互いに容易に混合されることができるが、各光源ユニット１１０から発生した光の色再現性は低くなる。
【００４６】
反対に、光源ユニット１１０から発生した光のうちの多くの量が隔壁部材２０の表面上で反射され隣接した光源ユニット１１０が配置された位置に進行できない場合、各光源ユニット１１０から発生した光の色再現性は高くなるが、互いに隣接した光源ユニット１１０からそれぞれ発生した光が互いに容易には混合されることがない。
【００４７】
図４乃至図６は図３に示された隔壁部材の高さによる光分布のシミュレーション結果を示したグラフである。シミュレーションはブロ（Ｂｒｏ）社のＳＳＡＰ（Ａｄｖａｎｃｅｄ  Ｓｙｓｔｅｍ  Ａｎａｌｙｓｉｓ  Ｐｒｏｇｒａｍ）を用いて実施された。
【００４８】
本シミュレーションでは、光源ユニット１１０の回路基板１１４の上面から光学部材１４０までの間隔が大体５０ｍｍで設定された。図４は隔壁部材２０の高さＨがおよそ１０ｍｍの場合、光分布のシミュレーション結果を示すグラフであり、図５は隔壁部材２０の高さＨがおよそ３０ｍｍのとき、光分布のシミュレーション結果を示したグラフであり、図６は隔壁部材２０の高さＨがおよそ５０ｍｍのとき、光分布のシニュレーション結果を示したグラフである。
【００４９】
図４を参照すると、隔壁部材２０の高さＨがおよそ１０ｍｍのとき、光源ユニット１１０から発生した光の大部分は前記隔壁部材２０の頂点の上に通過して隣接した光源ユニット１１０が配置された位置に進行することができる。従って、互いに隣接した光源ユニット１１０からそれぞれ発生した光は互いに容易に混合されることができる。その結果、絶縁バックライトアセンブリ１０は、図４に示されたように、均一な光分布を有する。
【００５０】
図５を参照すると、隔壁部材２０の高さＨがおよそ３０ｍｍのとき、光源ユニット１１０から発生した光の一部は隔壁部材２０の頂点の上に通過して隣接した光源ユニット１１０が配置された位置に進行する。一方、光源ユニット１１０から発生した光の一部は隔壁部材２０の表面上で反射されて隣接した光源ユニット１１０が配置された位置に進行することができない。従って、互いに隣接した光源ユニット１１０からそれぞれ発生した光は図４より互いに容易に混合されることがない。その結果、バックライトアセンブリ１０は、図５に示されたように、２つの帯が形成された光分布を有する。
【００５１】
図６を参照すると、隔壁部材２０の高さＨがおよそ５０ｍｍのとき、光源ユニット１１０から発生した光の大部分は隔壁部材２０の表面上で反射されて隣接した光源ユニット１１０が配置された位置には進行することができない。従って、互いに隣接した光源ユニット１１０からそれぞれ発生した光は図４及び図５より互いに容易に混合されることがない。その結果、バックライトアセンブリ１０は、図６に示されたように、３つの帯が形成された光分布を有する。
【００５２】
図７は図１及び図２に示された隔壁部材を有するバックライトアセンブリ内での光の経路を示した部分断面図である。
【００５３】
図７を参照すると、本発明の一実施形態によるバックライトアセンブリ１００の隔壁部材１２０は互いに相異した物質からなる第１隔壁部１２２及び第２隔壁部１２４を含む。このとき、第２隔壁部１２４は第１隔壁部１２２上に配置され、第１隔壁部１２２と一体的に形成することができる。
【００５４】
隔壁部材１２０の第１隔壁部１２２は光反射率の高い物質を含む。また、隔壁部材１２０の第２隔壁部１２４は光透過及び反射可能な物質を含む。従って、隔壁部材１２０は光源ユニット１１０から発生した光の一部を反射させ、一部を透過させることができる。
【００５５】
具体的に、図５に示されたように、光源ユニット１１０から発生した光は前記隔壁部材１２０に向かって進行する。前記光のうち前記第１隔壁部１２２に向かって進行する光は前記第１隔壁部１２２上で反射される。一方、前記光のうち前記第２隔壁部１２４に向かって進行する光は前記第２隔壁部１２４上で一部透過され、一部反射される。
【００５６】
隔壁部材１２０は光学部材１４０から所定間隔離隔されており、図２に示されたように、第１隔壁部１２２は光源ユニット１１０の回路基板１１４の上面から第１高さＨ１を有し、第２隔壁部１２４は第１隔壁部１２２の上面から第２高さＨ２を有する。従って、隔壁部材１２０は光源ユニット１１０の回路基板１１４の上面から第１及び第２高さＨ１、Ｈ２を足した第３高さＨ３を有する。
【００５７】
隔壁部材１２０が光学部材１４０から所定間隔離隔されているので、光源ユニット１１０から発生した光の一部は前記隔壁部材１２０の頂点の上に通過して隣接した光源ユニット１１０が配置された位置に進行する。
【００５８】
また、光源ユニット１１０から発生した光の一部は前記隔壁部材１２０の前記第１隔壁部１２２の表面上で反射されて隣接した光源ユニット１１０が配置された位置には進行することができない。
【００５９】
一方、前記光源ユニット１１０から発生した光の一部は隔壁部材１２０の第２隔壁部１２４の表面上で一部反射されるが、一部はスネル（Ｓｎｅｌｌ）の法則によって変更された光の経路に沿って第２隔壁部１２４を通過する。
【００６０】
従って、第１隔壁部１２２の第１高さＨ１と第２隔壁部１２４の第２高さＨ２を調整して設定すると、隔壁部材１２０の上部に対応する第２隔壁部１２４で光源ユニット１１０から発生した光の一部を反射させて、各光源ユニット１１０から発生した光の色再現性は低下しない。また、隔壁部材１２０の上部に対応する第２隔壁部１２４で光源ユニット１１０から発生した光の一部を透過させて、互いに隣接した光源ユニット１１０からそれぞれ発生した前記光を互いに容易に混合することができる。
【００６１】
例えば、第１隔壁部１２２の第１高さＨ１は第２隔壁部１２４の第２高さＨ２よりも大きいか同じである。
【００６２】
一実施形態として、光学部材１４０が光源ユニット１１０の回路基板１１４の上面からおよそ５０ｍｍ離隔されているとき、第１隔壁部１２２の第１高さＨ１はおよそ２０ｍｎ乃至およそ３０ｍｍの範囲を有することができ、第２隔壁部１２４の前記第２高さＨ２はおよそ５ｍｍ乃至およそ１５ｍｍの範囲を有することができる。
【００６３】
第１隔壁部１２２の第１高さＨ１がおよそ２０ｍｍよりも小さい場合、光源１１２から発生した光の経路が回路基板１１４に対して所定の角度を形成するので、隔壁部材１２０は隔壁の機能を果たすことができない。
【００６４】
第１隔壁部１２２の第１高さＨ１がおよそ３０ｍｍよりも大きい場合または第２隔壁部１２４の第２高さＨ２がおよそ５ｍｍよりも小さい場合、光を一部透過及び一部反射するための第２隔壁部１２４の影響よりも光を反射するための第１隔壁部１２２の影響の方が過度に優勢となるので、バックライトアセンブリ１００は図５及び図６と類似した帯が形成された光分布を有することができる。
【００６５】
第２隔壁部１２４の第２高さＨ２がおよそ１５ｍｍよりも大きい場合、光を反射するための第１隔壁部１２２の影響よりも光を一部透過及び一部反射するための第２隔壁部１２４の影響の方が過度に優勢となるので、隔壁部材１２０は隔壁の機能が果たせなくなる場合もある。
【００６６】
図８乃至図１０は図１及び図２に示された隔壁部材の高さによる光分布のシミュレーション結果を示したグラフである。前記シミュレーションはブロ社のＡＳＡＰを用いて実施された。
【００６７】
本シミュレーションにおいては、光源ユニット１１０の回路基板１１４の上面から光学部材１４０までの間隔がおよそ５０ｍｍに設定された。また、隔壁部材１２０の第１隔壁部１２２の第１高さＨ１はおよそ２５ｍｍに設定された。図８は第２隔壁部１２４の第２高さＨ２がおよそ５ｍｍのとき、光分布のシミュレーション結果を示したグラフであり、図９は第２隔壁部１２４の第２高さＨ２がおよそ１０ｍｍのとき、光分布のシミュレーション結果を示したグラフであり、図１０は第２隔壁部１２４の第２高さＨ２がおよそ２０ｍｍのとき、光分布のシミュレーション結果を示したグラフである。
【００６８】
図８を参照すると、第２隔壁部１２４の第２高さＨ２がおよそ５ｍｍであり、隔壁部材１２０の第３高さＨ３がおよそ３０ｍｍのとき、バックライトアセンブリ１００は均一な光分布を有する。図５に示された光分布と比較するとき、バックライトアセンブリ１００の隔壁部材１２０が図３に示されたバックライトアセンブリ１０の隔壁部材２０と同一のおよそ３０ｍｍの高さを有する場合にも、バックライトアセンブリ１００はより均一な光分布を有する。
【００６９】
図９を参照すると、第２隔壁部１２４の第２高さＨ２がおよそ１０ｍｍであり、隔壁部材１２０の第３高さＨ３が３５ｍｍのとき、バックライトアセンブリ１００は均一な光分布を有する。図５に示された光分布と比較するとき、バックライトアセンブリ１００の隔壁部材１２０が図３に示されたバックライトアセンブリ１０の隔壁部材２０よりさらに高いおよそ３５ｍｍの高さを有する場合にも、バックライトアセンブリ１００はより均一な光分布を有する。
【００７０】
図８及び図９においてバックライトアセンブリ１００が均一な光分布を有するのは、光源ユニット１１０から発生した光の一部が隔壁部材１２０の下部に位置した第１隔壁部１２２の表面上で反射されるが、光源ユニット１１０から発生した光の一部はスネル法則によって変更された光経路に沿って隔壁部材１２０の上部に位置した第２隔壁部１２４を通過するからである。
【００７１】
図１０を参照すると、第２隔壁部１２４の第２高さＨ２がおよそ２０ｍｍであり、隔壁部材１２０の第３高さＨ３がおよそ４５ｍｍのとき、バックライトアセンブリ１００は図６と類似した三つの帯が形成された光分布を有する。
【００７２】
図１及び図２を参照すると、隔壁部材１２０、例えば、三角形の断面プロファイルを有する柱形状を有する。このとき、隔壁部材１２０の三角形の断面プロファイルは二等辺三角形であることができる。隔壁部材１２０の頂角（θ１）は、例えば、１°〜１５°の範囲を有することができる。
【００７３】
それとは異なり、隔壁部材１２０は切断された三角形の断面プロファイルを有する柱形状を有することができる。すなわち、隔壁部材１２０の断面プロファイルは、例えば、上辺が下辺より短い平行四辺形であることができる。このとき、並行四辺形の側辺を延長して形成した三角形の頂角は１°〜１５°の範囲を有することができる。
【００７４】
図１及び図２に示されたように、第１隔壁部１２２の第１側面及び第２隔壁部１２４の側面は互いに連続し、第１隔壁部１２２の第１側面と収納容器１３０の底板１３２と成す第１傾斜角は第２隔壁部１２４の第２側面と収納容器１３０の底板１３２と成す第２傾斜角と実質的に同一である。
【００７５】
これとは異なり、隔壁部１２２の第１側面と収納容器１３０の底板１３２と成す第１傾斜角は第２隔壁部１２４の第２側面と収納容器１３０の底板１３２と成す第２傾斜角とは互いに異なることができる。
【００７６】
バックライトアセンブリ１００は光源ユニット１１０から発生した光を反射するための反射シートをさらに含むことができる。この場合、光源ユニット１１０及び隔壁部材１２０は反射シート上に配置されることができる。これとは異なり、光源ユニット１１０及び隔壁部材１２０の間に反射物質が塗布されることができる。反射物質は前記回路基板１１４上にも塗布されることができる。
【００７７】
図１及び図２において、隔壁部材１２０は第１隔壁部１２２及び第２隔壁部１２４を含む。これとは異なり、隔壁部材１２０は第２隔壁部１２４上に配置された第３隔壁部をさらに含むことができる。このとき、第３隔壁部は第３光反射率を有する第３の物質を含む。例えば、前記第３隔壁部は前記第３物質からなることができる。これとは異なり、前記第３隔壁部は前記第３物質を含む第３層でコーティングされることもできる。第３隔壁部の第３光反射率は第２隔壁部１２４の第２光反射率よりも小さくすることができる。また、第３光反射率は第２隔壁部１２４の第２光反射率よりも大きく、第１隔壁部１２２の第１光反射率よりも小さくすることができる。
【００７８】
図１及び図２において、隔壁部材１２０は互いに相異なる物質からなる第１隔壁部１２２及び第２隔壁部１２４を含む。これとは異なり、隔壁部材１２０は少なくとも二つの物質を混合して形成されることができる。このとき、隔壁部材１２０は隔壁部材１２０の光反射率が下部から上部に行くほど小さくなるように形成されることができる。
【００７９】
図１及び図２において、バックライトアセンブリ１００はそれぞれの光源ユニット１１０が一体として光を発生するように駆動されるので、隔壁部材１２０は光源ユニット１１０の回路基板１１４の長さ方向に配置される。これとは異なり、バックライトアセンブリ１００が光源ユニット１１０の光源グループ毎に独立的に光を発生するように駆動される場合、隔壁部材１２０は隣接した光源グループの間に配置されることができる。
【００８０】
一方、前記第１隔壁部１２２の前記第１高さＨ１、前記第２隔壁部１２４の前記第２高さＨ２、前記隔壁部材１２０の前記第３高さＨ３及び前記隔壁部１２０の頂角（θ１）などは前記バックライトアセンブリ１００のデメンション及び形態によって異なるように設定されることができる。例えば、前記第１隔壁部１２２の前記第１高さＨ１、前記第２隔壁部１２４の前記第２高さＨ２、前記隔壁部材１２０の前記第１高さＨ３及び前記隔壁部材１２０の頂角などは前記バックライトアセンブリ１００の高さと形状、前記光学部材１４０の位置、前記光源ユニット１１０の位置、前記光源ユニット１１０の間の距離、前記光源１１２の配列などによって多様に偏光されることができる。
【００８１】
図１１は本発明の他の実施形態によるバックライトアセンブリを示した分解斜視図である。図１２は図１１のＩＩ−ＩＩ´線に沿って切断した部分断面図であり、図１３は図１１のＩＩＩ−ＩＩＩ´線に沿って切断した部分断面図である。
【００８２】
図１１乃至図１３を参照すると、バックライトアセンブリ１０２は複数の光源ユニット１１０、隔壁部材１６０、収納容器１３０及び光学部材１４０を含む。バックライトアセンブリ１０２は隔壁部材１６０を除いては、図１及び図２に示されたバックライトアセンブリ１００と実質的に同一である。従って、重複される詳細な説明は省略する。
【００８３】
隔壁部材１６０は光源ユニット１１０の間に配置される。隔壁部材１６０は光源ユニット１１０から発生した光の一部を透過させ、一部を反射させる。隔壁部材１６０は光源ユニット１１０から発生した光の一部を透過させるために光透過パターンが形成される。
【００８４】
図１１乃至図１３において、隔壁部材１６０は第１隔壁部１６２及び第１隔壁部１６２上に配置された第２隔壁部１６４を含む。
【００８５】
第１隔壁部１６２は光源ユニット１１０から発生した光を反射させる。第２隔壁部１６４は光源ユニット１１０から発生した光の一部を透過させ、を反射させる。
【００８６】
第２隔壁部１６４は光反射部及び光透過部を含む。光反射部は光源ユニット１１０から発生した光を反射させる。光透過部は光源ユニット１１０から発生した光を透過させる。
【００８７】
第２隔壁部１６４には光透過パターンが形成される。図１１乃至図１３において、第２隔壁部１６４は櫛の歯形状にパターン化されている。パターン化された複数の櫛の歯は光反射部に対応されて、櫛の歯の間の空間は光透過部に対応される。櫛の歯それぞれは頂点１６４ａ及び低点１６４ｂを有する。
【００８８】
図１４は図１１乃至図１３に示された隔壁部材を有するバックライトアセンブリ内での光の経路を示した部分断面図である。
【００８９】
図１４を参照すると、本発明の他の実施形態によるバックライトアセンブリ１０２の隔壁部材１６０は第１隔壁部１６２及び第１隔壁部１６２上に配置された第２隔壁部１６４を含む。このとき、第２隔壁部１６４は第１隔壁部１６２と一体的に形成することができる。
【００９０】
隔壁部材１６０の第１隔壁部１６２は光反射率の高い物質を含む。また、隔壁部材１６０の第２隔壁部１６４は光透過及び反射可能であるように櫛の歯形状のパターンが形成される。従って、隔壁部材１６０は光源ユニット１１０から発生した光の一部を反射させ、一部を透過させることができる。第２隔壁部１６４は第１隔壁部１６２と同一の材質からなることができ、他の材質からなることもできる。
【００９１】
具体的には、図１４に示されているように、光源ユニット１１０から発生した光は隔壁部材１６０に向かって進行する。前記光のうち第１隔壁部１６２に向かって進行する光は第１隔壁部１６２上で反射される。一方、前記光のうち第２隔壁部１６４に向かって進行する光は第２隔壁部１６４上で一部透過され、一部反射される。すなわち、前記光のうち第２隔壁部１６４に向かって進行する光は光反射部に対応する櫛の歯上では反射されるが、光透過部に対応する櫛の歯の間の空間では透過される。
【００９２】
隔壁部材１６０は光学部材１４０から所定間隔離隔されており、図１２に示されているように、第１隔壁部１６２は光源ユニット１１０の回路基板１１４の上面から第４高さＨ４を有し、第２隔壁部１６４は第１隔壁部１６２の上面から第５高さＨ５を有する。従って、隔壁部材１６０は光源ユニット１０の回路基板１１４の上面から第４及び第５高さＨ４、Ｈ５を足した第６高さＨ６を有する。
【００９３】
隔壁部材１６０が光学部材１４０から所定間隔離隔されているので、光源ユニット１１０から発生した光の一部は隔壁部材１６０の頂点の上に通過して隣接した光源ユニット１１０が配置された位置に進行する。
【００９４】
また、光源ユニット１１０から発生した光の一部は隔壁部材１６０の第１隔壁部１６２の表面上で反射されて隣接した光源ユニット１１０が配置された位置には進行することができない。
【００９５】
一方、光源ユニット１１０から発生した光の一部は隔壁部材１６０の第２隔壁部１６４の櫛の歯の上で一部反射されるが、一部は櫛の歯の間の空間を通過する。
【００９６】
従って、第１隔壁部１６２の第４高さＨ４と第２隔壁部１６４の第５高さＨ５を調整して設定すると、隔壁部材１６０の上部に対応する第２隔壁部１６４で光源ユニット１１０から発生した光の一部を反射させ、各光源ユニット１１０から発生した光の色再現性は低下されることがない。また、隔壁部材１６０の上部に対応する第２隔壁部１６４で光源ユニット１１０から発生した光の一部を透過させて、互いに隣接した光源ユニット１１０からそれぞれ発生した光を互いに容易に混合することができる。
【００９７】
例えば、第１隔壁部１６２の前記第４高さＨ４は第２隔壁部１６４の前記第５高さＨ５よりも大きいか同じである。
【００９８】
一実施形態として、光学部材１４０が光源ユニット１１０の回路基板１１４の上面からおよそ５０ｍｍ離隔されたとき、第１隔壁部１６２の第４高さＨ４はおよそ２０ｍｍ乃至３０ｍｍの範囲を有することができ、第２隔壁部１６４の前記第５高さＨ５はおよそ５ｍｍ〜２５ｍｍの範囲を有することができる。
【００９９】
第１隔壁部１６２の前記第４高さＨ４がおよそ２０ｍｍよりも小さい場合、前記光源１１２から発生した光の経路が回路基板１１４に対して所定の角度を形成するので、隔壁部材１６０は隔壁の機能をすることができない場合もある。
【０１００】
第１隔壁部１６２の第４高さＨ４がおよそ３０ｍｍよりも大きい場合または第２隔壁部１６４の第５高さＨ５がおよそ５ｍｍよりも小さい場合、光を一部透過及び一部反射するための第２隔壁部１６４の影響よりも光を反射するための第１隔壁部１６２の影響の方が過度に優勢となるので、バックライトアセンブリ１０２は図５及び図６と類似した帯が形成された光分布を有することができる。
【０１０１】
第２隔壁部１６４の第５高さＨ５がおよそ２５ｍｍよりも大きい場合、光を反射するための第１隔壁部１６２の影響よりも光を一部透過及び一部反射するための第２隔壁部１６４の影響の方が過度に優勢となるので、隔壁部材１６０は隔壁の機能を果たすことができない場合もある。
【０１０２】
図１５乃至図１７は図１１乃至図１３に示された隔壁部材の高さによる光分布のシミュレーション結果を示すグラフである。前記シミュレーションはブロ社のＡＳＡＰを用いて実施された。
【０１０３】
本シミュレーションにおいては、光源ユニット１１０の回路基板１１４の上面から光学部材１４０までの間隔がおよそ５０ｍｍに設定された。また、隔壁部材１６０の第１隔壁部１６２の第４高さＨ４はおよそ２５ｍｍに設定された。図１５は第２隔壁部１６４の第５高さＨ５がおよそ１０ｍｍのとき、光分布のシミュレーション結果を示したグラフであり、図１６は第２隔壁部１６４の前記５高さＨ５がおよそ１５ｍｍのとき、光分布のシミュレーション結果を示したグラフであり、図１７は第２隔壁部１６４の第５高さＨ５がおよそ２５ｍｍのとき、光分布のシミュレーション結果を示したグラフである。
【０１０４】
図１５を参照すると、第２隔壁部１６４の第５高さＨ５がおよそ１０ｍｍであり、隔壁部材１６０の第６高さＨ６がおよそ３５ｍｍのとき、バックライトアセンブリ１０２は均一な光分布を有する。図５に示された光分布と比較するとき、バックライトアセンブリ１０２の隔壁部材１６０が図３に示されたバックライトアセンブリ１０の隔壁部材２０よりさらに高いおよそ３５ｍｍの高さを有する場合でも、バックライトアセンブリ１０２はより均一な光分布を有する。
【０１０５】
図１６を参照すると、第２隔壁部１６４の第５高さＨ５がおよそ１５ｍｍであり、隔壁部材１６０の第６高さＨ６がおよそ４０ｍｍのとき、バックライトアセンブリ１０２は均一な光分布を有する。図５に示された光分布と比較するとき、バックライトアセンブリ１０２の隔壁部材１６０が図３に示されたバックライトアセンブリ１０の隔壁部材２０よりもさらに高いおよそ４０ｍｍの高さを有する場合でも、バックライトアセンブリ１０２はより均一な光分布を有する。
【０１０６】
図１７を参照すると、第２隔壁部１６４の第５高さＨ５がおよそ２５ｍｍであり、隔壁部材１６０の第６高さＨ６がおよそ５０ｍｍのとき、バックライトアセンブリ１０２は均一な光分布を有する。図６に示された光分布と比較するとき、バックライトアセンブリ１０２の隔壁部材１６０が図３に示されたバックライトアセンブリ１０の隔壁部材２０と同一のおよそ５０ｍｍの高さを有する場合にも、バックライトアセンブリ１００はより均一な光分布を有する。また、図１０に示された光分布と比較するとき、バックライトアセンブリ１０２の隔壁部材１６０が図１及び図２に示された前記バックライトアセンブリ１００の隔壁部材１２０と同一のおよそ５０ｍｍの高さを有する場合でも、バックライトアセンブリ１０２はより均一な光分布を有する。
【０１０７】
図１５乃至図１７において、バックライトアセンブリ１０２が均一な光分布を有するのは、光源ユニット１００から発生した光の一部が隔壁部材１６０の下部に位置した第１隔壁部１６２の表面上で反射されるが、光源ユニット１１０から発生した光の一部は前記櫛の歯の間の空間を通って隔壁部材１６０の上部に位置した第２隔壁部１６４を通過するからである。
【０１０８】
図１１乃至図１３を参照すると、隔壁部材１６４は、例えば、三角形の断面プロファイルを有する柱形状を有する。このとき、隔壁部材１６０の三角形の断面プロファイルは二等辺三角形であることができる。隔壁部材１６０の頂角θ２は、例えば、１°乃至１５°の範囲を有することができる。
【０１０９】
これとは異なり、隔壁部材１６０は切断された三角形の断面プロファイルを有する柱形状を有することができる。すなわち、隔壁部材１６０の断面プロファイルは、例えば、上辺が下辺より短い平行四辺形であることができる。このとき、並行四辺形の側辺を延長して形成した三角形の頂角は１°〜１５°の範囲を有することができる。
【０１１０】
図１１及び図１２に示されたように、隔壁部１６２は第１側面及び第２隔壁部１６４の第２側面は互いに連続し、第１隔壁部１６２の第１側面と収納容器１３０の底板１３２とが成す第１傾斜角は第２隔壁部１６４の第２側面と収納容器１３０の底板１３２とが成す第２傾斜角と実質的に同一である。
【０１１１】
これとは異なり、第１隔壁部１６２の第１側面と収納容器１３０の底板１３２とが成す第１傾斜角は第２隔壁部１６４の第２側面と収納容器１３０の底板１３２とが成す前記第２傾斜角と互いに異なることができる。
【０１１２】
一方、前記第１隔壁部１６２の前記第４高さＨ４、前記第２隔壁部１６４の前記第５高さＨ５、前記隔壁部部材１６０の前記第６高さＨ６及び前記隔壁部材１６０の頂角（θ２）などは前記バックライトアセンブリ１０２のディメンション及び形態によって異なるように設定されることができる。例えば、前記第１隔壁部１６２の前記第４高さＨ４、前記第２隔壁部１６４の前記第５高さＨ５、前記隔壁部材１６０の前記第６高さＨ６及び前記隔壁部材１６０の頂角（θ２）などは前記バックライトアセンブリ１０２の高さと形状、前記光学部材１４０の位置、前記光源ユニット１１０の位置、前記光源ユニット１１０の間の距離、前記光源１１２の配列などによって多様に変更されることができる。
【０１１３】
図１８は本発明のさらに他の実施形態によるバックライトアセンブリの隔壁部材を示した部分断面図である。
【０１１４】
図１８を参照すると、バックライトアセンブリ１０４は複数の光源ユニット１１０、隔壁部材１７０、収納容器１３０及び光学部材１４０を含む。バックライトアセンブリ１０４は隔壁部材１７０の櫛の歯形状の頂点１７４ａ及び低点１７４ｂを除いては、図１１乃至図１３に示されたバックライトアセンブリ１０２と実質的に同一である。従って、重複される詳細な説明は省略する。
【０１１５】
隔壁部材１７０は第１隔壁部１７２及び第１隔壁部１７２上に配置された第２隔壁部１７４を含む。
【０１１６】
図１８において、第２隔壁部１７４は櫛の歯形状にパターン化されている。櫛の歯形状の頂点１７４ａ及び低点１７４ｂの少なくとも一つは丸みを帯びることができる。図１８において、前記頂点１７４ａ及び低点１７４ｂは全部丸みを帯びる。
【０１１７】
図１９は本発明のさらに他の実施形態によるバックライトアセンブリの隔壁部材を示す部分断面図である。
【０１１８】
図１９を参照すると、バックライトアセンブリ１０６は複数の光源ユニット１１０、隔壁部材１８０、収納容器１３０及び光学部材１４０を含む。バックライトアセンブリ１０６は隔壁部材１８０の第２隔壁部１８４の形状を除いては、図１１乃至図１３に示されたバックライトアセンブリ１０２と実質的に同一である。従って、重複される詳細な説明は省略する。
【０１１９】
第２隔壁部１８４は光源ユニット１１０から発生した光の一部を透過させ、一部を反射させる。
【０１２０】
第２隔壁部１８４は光反射部及び光透過部を含む。光反射部は光源ユニット１１０から発生した光を反射させる。光透過部は光源ユニットから発生した光を透過させる。
【０１２１】
第２隔壁部１８４は複数のホール１８４ａが形成される。ホール１８４ａは光透過部に対応され、ホールの間の部分は光反射部に対応する。従って、隔壁部材１８０は光源ユニット１１０から発生した光の一部を反射させ、一部を透過させることができる。第２隔壁部１８４は第１隔壁部１８２と同一の材質からなることができ、他の材質からなることもできる。
【０１２２】
光源ユニット１１０から発生した光は隔壁部材１８０に向かって進行する。前記光のうち隔壁部１８２に向かって進行する光は第１隔壁部１８２上で反射される。一方、前記光のうち第２隔壁部１８４に向かって進行する光は第２隔壁部１８４上で一部透過され、一部反射される。すなわち、前記光のうち第２隔壁部１８４に向かって進行する光は光透過部に対応するホール１８４ａでは透過されるが、光反射部に対応するホールの間の部分上では反射される。
【０１２３】
図１９において、前記ホール１８４ａは規則的に配列されるが、ホール１８４ａは不規則的に配列することもできる。
【０１２４】
また、図１９で、それぞれの前記ホール１８４ａは同一の大きさを有するが、互いに異なる大きさを有することもできる。例えば、それぞれのホール１８４ａは第２隔壁部１８４の上部で高い光透過率を有するように、上部に位置したホールが下部に位置したホールよりもさらに大きな大きさを有することができる。
【０１２５】
また、図１９において、それぞれのホール１８４ａは円形状を有するが、より多様な形状を有することができる。例えば、それぞれのホール１８４ａは三角形形状、四角形形状を有することができる。
【０１２６】
また、図１９において、ホール１８４ａは互いに同一の形状を有するが、互いに異なる形状を有することができる。例えば、ホール１８４ａのうち一部は円形状を有し、前記ホール１８４ａのうち一部は三角形または四角形形状を有することができる。
【０１２７】
図２０は本発明の一実施形態による液晶表示装置を示した分解斜視図である。
【０１２８】
図２０を参照すると、液晶表示装置５００はバックライトアセンブリ１００及び表示ユニット３００を含む。
【０１２９】
バックライトアセンブリ１００は図１及び図２に示されたバックライトアセンブリ１００と実質的に同一である。従って、同一の部分に対する重複された説明は省略する。
【０１３０】
表示ユニット３００はバックライトアセンブリ１００から供給される光を用いて画像を表示する液晶表示パネル３１０及び液晶表示装置３１０を駆動するための駆動回路部３２０を含む。
【０１３１】
液晶表示パネル３１０は第１基板３１２、第１基板３１２と対向して結合される第２基板３１４、及び第１基板３１２と第２基板３１４との間に介在された液晶層（図示せず）を含む。
【０１３２】
例えば、第１基板３１２はスイッチング素子である薄膜トランジスタＴＦＴ及び薄膜トランジスタに電気的に連結された画素電極（図示せず）を含む。  
【０１３３】
例えば、第２基板３１４は共通電極（図示せず）を含む。液晶表示装置５００は一つのフレームに対して赤色光、緑色光及び青色光を順次にそれぞれ所定時間の間発光させ所望するカラーを具現する時間的なカラー駆動方式を採用しているので、第２基板３１４はカラーフィルタ層を含まない。
【０１３４】
駆動回路部３２０は液晶表示パネル３１０にデータ駆動信号を供給するデータ印刷回路基板３２１、液晶表示パネル３１０にゲート駆動信号を供給するゲート印刷回路基板３２２、データ印刷回路基板３２１を液晶表示パネル３１０に連結するデータ駆動回路フィルム３２３、及びゲート印刷回路基板３２２を液晶表示パネル３１０に連結するゲート駆動回路フィルム３２４を含む。
【０１３５】
図２０において、液晶表示装置５００は図１及び図２に示されたバックライトアセンブリ１００を採用するが、前記液晶表示装置５００は、図１１、図１８各図１９にそれぞれ示されたバックライトアセンブリ１０２、１０４、１０６を採用することができる。
【０１３６】
前記のような本発明によると、光源ユニットの間に配置された隔壁部材は第１隔壁部及び第１隔壁部上に位置した第２隔壁部を含み、光源ユニットから発生した光が第２隔壁部上に入射されるとき、光を一部透過及び一部反射させる。
【０１３７】
それにより、隔壁部材の上部に対応する第２隔壁部で光源ユニットから発生した光の一部を反射させて光の色再現性は低下されないようにし、光源ユニットから発生した前記光の一部を透過させて互いに隣接した光源ユニットからそれぞれ発生した光が互いに容易に混合されるようにすることができる。
【０１３８】
従って、隔壁部材の高さを高く設定して光の色再現性は増加させ、光が容易に混合できるようにして光の均一性を向上させることができる。
【０１３９】
以上、本発明の実施形態によって詳細に説明したが、本発明はこれに限定されず、本発明が属する技術分野において通常の知識を有するものであれば本発明の思想と精神を離脱することなく、本発明を修正または変更できる。
【産業上の利用可能性】
【０１４０】
本発明は、バックライトを用いる平面ディスプレイの分野で利用することができる。
【図面の簡単な説明】
【０１４１】
【図１】本発明の一実施形態によるバックライトアセンブリを示した分解斜視図である。
【図２】図１のＩ−Ｉ´線に沿って切断した部分断面図である。
【図３】比較例による隔壁部材を有するバックライトアセンブリ内での光の経路を示した部分断面図である。
【図４】図３に示された隔壁部材の高さによる光分布のシミュレーション結果を示したグラフである。
【図５】図３に示された隔壁部材の高さによる光分布のシミュレーション結果を示したグラフである。
【図６】図３に示された隔壁部材の高さによる光分布のシミュレーション結果を示したグラフである。
【図７】図１及び図２に示された隔壁部材を有するバックライトアセンブリ内での光の経路を示した部分断面図である。
【図８】図１及び図２に示された隔壁部材の高さによる光分布のシミュレーション結果を示したグラフである。
【図９】図１及び図２に示された隔壁部材の高さによる光分布のシミュレーション結果を示したグラフである。
【図１０】図１及び図２に示された隔壁部材の高さによる光分布のシミュレーション結果を示したグラフである。
【図１１】本発明の他の実施形態によるバックライトアセンブリを示した分解斜視図である。
【図１２】図１１のＩＩ−ＩＩ´線に沿って切断した部分断面図である。
【図１３】図１１のＩＩＩ−ＩＩＩ´線に沿って切断した部分断面図である。
【図１４】図１１乃至図１３に示された隔壁部材を有するバックライトアセンブリ内での光の経路を示した部分断面図である。
【図１５】図１１乃至図１３に示された隔壁部材の高さによる光分布のシミュレーション結果を示したグラフである。
【図１６】図１１乃至図１３に示された隔壁部材の高さによる光分布のシミュレーション結果を示したグラフである。
【図１７】図１１乃至図１３に示された隔壁部材の高さによる光分布のシミュレーション結果を示したグラフである。
【図１８】本発明のさらに他の実施形態によるバックライトアセンブリの隔壁部材を示した部分断面図である。
【図１９】本発明のさらに他の実施形態によるバックライトアセンブリの隔壁部材を示した部分断面図である。
【図２０】本発明の一実施形態による液晶表示装置を示した分解斜視図である。
【符号の説明】
【０１４２】
１００、１０２、１０４、１０６    バックライトアセンブリ、
１１０    光源ユニット、
１２０、１６０、１７０、１８０    隔壁部材、
１２２、１６２、１７２、１８２    第１隔壁部、
１２４、１６４、１７４、１８４    第２隔壁部、
１３０    収納容器、
１４０    光学部材、
１５０    電源供給装置、
３００    表示ユニット、
５００    液晶表示装置。
【図１】
2007207759.tif 000003
【図２】
2007207759.tif 000004
【図３】
2007207759.tif 000005
【図７】
2007207759.tif 000006
【図１１】
2007207759.tif 000007
【図１２】
2007207759.tif 000008
【図１３】
2007207759.tif 000009
【図１４】
2007207759.tif 000010
【図１８】
2007207759.tif 000011
【図１９】
2007207759.tif 000012
【図２０】
2007207759.tif 000013
【図４】
2007207759.tif 000014
【図５】
2007207759.tif 000015
【図６】
2007207759.tif 000016
【図８】
2007207759.tif 000017
【図９】
2007207759.tif 000018
【図１０】
2007207759.tif 000019
【図１５】
2007207759.tif 000020
【図１６】
2007207759.tif 000021
【図１７】
2007207759.tif 000022